(57)【要約】      （修正有）【課題】任意の位置に楕円および円を描くことができる楕円描写器を提供する。【解決手段】任意の円軌道の中心を通る直線を軸として、この任意の円軌道の中心を通る軸を回転させて、この円軌道に任意の角度を設定し、この円軌道の任意の一点において回転してできた軌道を描写方向に対して垂直に保持する工夫をして、平面方向である描写面に投影される楕円および円の軌道を描写具によって描く。【選択図】図１４
2004155042.tif 000002
【特許請求の範囲】
【請求項１】
描写面に対して垂直な軸棒の中心に描写面における中心点を有し、その軸棒の中心点以外に軸棒の中心点付近に一つ以上の固定点を持たせることによって軸棒の方向を固定し、軸棒の任意の位置において軸棒に対して直角に取り付けた軸に回転することができる楕円および円の軌道を描く回転体を取り付け、その軸に取り付けた回転することができる楕円および円の軌道を描く回転体に任意の角度を設定することができるようにし、回転することができる楕円および円の軌道を描く回転体を回転させて、回転することができる楕円および円の軌道を描く回転体の回転面の放射上の任意の一点において、描写面に対してできる楕円および円の軌道を描写面上に描写するために、楕円および円の軌道を描写方向に対して垂直に保持する工夫をした部分を軸受けで軸棒に取り付けて楕円描写器を回転させることによって描写面上に投影した楕円および円の軌道を描写具によって描写面において楕円および円として描き、その楕円および円の半径を移動させて任意の大きさの楕円および円を描くために軸棒の中心点と一つ以上の固定点以外に描写面に垂直を保つための平行部を有して描写面に対して描写具が垂直となるような回転を維持させて回転させて、筆圧を加えて楕円および円を描く楕円描写器。
【請求項２】
描写面に対して垂直な中心軸の描写面に接する中心に描写面における中心点を有し、その中心点以外に一つ以上の固定点を持たせることによって軸の方向を固定した中心軸に、楕円描写器を回転させるときに回転を転換する歯車、車輪、ワーム、ベルト、軸等の連動部品を連動して取り付け、楕円描写器の中心点を中心とした回転運動をするときに、連動部品で軸棒に運動を伝え、軸棒に取り付けた回転することができる回転体の回転面の中心を軸棒の中心とする軸棒の任意の位置に対して、直角の方向に任意の角度を設定することができる軸を取り付け、その任意の角度を設定することができる軸に回転することができる楕円および円の軌道を描く回転体を取り付けるか、もしくは回転することができる楕円および円の軌道を描く回転体に任意の角度を設定して、回転することができる楕円および円の軌道を描く回転体を取り付けた軸棒を回転させて生じる回転することができる回転体から放射する任意の一点における軌道を楕円においては、平面移動に転化させてできた平面上の任意の一点の半径に相当する移動、および円においては、半径を保持し、楕円および円の軌道を描写方向に対して垂直に保持する工夫をした部分で軸棒と同一もしくは平行な平面上を、楕円において楕円の半径と同一な距離の移動、および円において円の半径と同一な距離の保持が行われるようにして、楕円軌道において、楕円描写器の中心軸を中心とした回転と連動してできる楕円の半径に相当する長短の距離を楕円軌道の距離として平面上において構成し、この平面の楕円の半径に相当する長短の距離を描写面において描写具が平面移動するようにして、回転することができる楕円軌道を描く回転体の中心から放射する回転面上に設定した任意の一点においてできる楕円軌道の半径の距離を平面移動するように転化した回転することができる回転体の中心から伸びた任意の一点の移動が楕円描写器の回転と連動し、楕円描写器が回転するときに長短する半径の平面移動として連動し、および円軌道において、円軌道の半径に相当する任意の一点で円の半径と同一な距離を保持し、描写具によって描写面に任意に設定された半径の楕円および円を描くために、中心軸の中心点と一つ以上の固定点以外に描写面に垂直を保つための平行部を有して描写面に対して描写具が垂直となるような回転を維持して回転させて、筆圧を加えて楕円および円を描く楕円描写器。
【請求項３】
描写面に対して平行もしくは垂直な軸棒に直角に取り付けた回転することができる回転体の中心から垂直の延長線上に描写面における中心点を有し、その中心点以外に中心点付近に一つ以上の固定点を持たせることによって中心点の方向を固定し、任意の角度を設定する部分で回転することができる回転体に任意の角度を設定し、回転することができる楕円および円の軌道を描く回転体を回転させて、回転することができる回転体の回転面の中心から放射する任意の一点において、回転することができる回転体が回転したときにできる軌道を描写面に投影された楕円および円の軌道として描写面上の平面に転化させて、楕円描写器の回転運動と連動することによって、描写面において、楕円および円を描き、楕円および円の大きさを拡大または縮小することができる部分によって拡大または縮小し、任意の角度の楕円および円の軌道を筆圧を加えた描写具によって描写面に描く楕円描写器。
【発明の詳細な説明】
【０００１】
【発明が属する技術分野】
本発明は、楕円および円を描写面に描くものに関します。
【０００２】
【従来の技術】
実用新案公報・平３−４９９１０の考案の名称、楕円・円製図器具や公開特許公報・昭６０−１９２６９９の発明の名称、楕円コンパスにおいて、楕円および円を描く目的は同じでも、そのための器具の構造において、平面的展開によって楕円および円を描写するものでした。
【０００３】
【発明が解決しようとする課題】
円軌道の中心を通る直線を軸として、その軸を回転させ任意角度において固定し、その円軌道を平面方向に垂直方向から投影すると平面上に楕円が描写されます。
【０００４】
その楕円および円を描写具によって、描写面に描き出すことが、課題となりました。
【０００５】
そして、その楕円および円の大きさを変化させて、いろいろな楕円および円を描くことが課題となりました。
【０００６】
【課題を解決するための手段】
円軌道の中心を通る直線を軸として回転させ、任意の位置で固定したその円軌道を平面上に投影すると、円軌道が投影面である平面に対して垂直か平行の場合を除いて楕円を描くように、回転することができる楕円および円の軌道を描く回転体を任意の角度で固定し、回転面の中心から放射上にある任意の一点を設定し、その一点において回転することができる回転体を回転させたときに垂直方向の平面上に投影してできる楕円および円の軌道を平面とする描写面に描写具をもちいて具現化するために、回転することができる楕円および円の軌道を描く回転体を回転させてできる軌道を垂直移動と平行移動の動きとして相互に組み合わせて変化できるように転化して、楕円描写器を回転させたときに任意の一点における軌道の楕円および円を描写面に描写具をもちいて描写します。
【０００７】
【発明の実施の形態】
本発明の軸棒を描写面に対して縦方向に設定した楕円描写器においては、回転することができる楕円および円の軌道を描く回転体の回転面上の任意の一点における移動する軌道を妨げずにその任意の一点の平面方向である描写方向を保持するために垂直を保持する工夫をした部分を取り付け、描写面に対して垂直な軸棒の中心に描写面における中心点を有し、その中心点以外に一つ以上の固定点を持たせることによって、方向を固定した軸棒の任意の位置に軸棒に対して直角方向に回転することができる楕円および円の軌道を描く部分を取り付けて、回転することができる回転体に任意の角度を設定し、回転させ、描写方向に垂直を保持する工夫をした部分によって楕円および円の軌道を平面上に転化し描写面において楕円および円を描き、その楕円および円の半径を移動させて任意の大きさの楕円および円を描くための移動部分を有し、その移動部分を任意の位置の状態で固定する固定具によって軸棒の中心から任意の距離を設定できるようにし、軸棒の中心点や固定点以外に描写面に対して描写具が垂直を保つための平行部を有して回転することができる楕円および円の軌道を描く回転体の回転面上の任意の一点で描いた軌道として描写面上に垂直に投影されてできる軌道を描写具によって描写するために描写面に対して移動部分を平行に保たせ、回転させて楕円および円を描く楕円描写器です。
【０００８】
本発明の軸棒を描写面に対して横方向に設定した楕円描写器においては、軸棒に対して直角方向に設置した軸に取り付けた回転することができる楕円および円を描く回転体の中心から描写面に対して垂直方向の中心に描写面における楕円描写器が回転するための中心点を有し、その中心点以外に一つ以上の固定点を持たせることによって中心点を任意の方向に固定した状態で楕円描写器を回転させ、伝動部品によって回転することができる楕円および円の軌道を描く回転体の回転面の放射上の任意の一点の軌道と同等な距離を楕円描写器が回転するときに水平移動させて、描写具によって楕円および円の軌道を描写面に描写できるよう楕円描写器の回転と回転することができる回転体の回転を連動して伝動させ、軸棒を回転させてできた回転運動で回転することができる回転体の任意の位置の一点における半径の距離を水平移動で変化させ、楕円描写器を回転させて、回転することができる回転体に任意の角度を設定して変化する半径の円運動によって生じる
楕円および円軌道を水平移動に転化させ、楕円描写器の中心点を中心とする回転運動と連動することによって、描写具によって描写面に楕円および円を描き、その楕円および円の半径を移動させて任意の大きさの楕円および円を描くための移動部分を有し、その移動部分を任意の位置の状態で固定する固定具によって軸棒の中心から任意の距離を設定できるようにし、楕円描写器の中心軸の中心点や固定点以外に描写面に対して描写具が垂直を保つための平行部を有して回転することができる楕円および円の軌道を描く回転体の回転面上の任意の一点で描いた軌道として描写面上に垂直に投影されてできる軌道を描写具によって描写するために描写面に対して移動部分を平行に保たせ、回転させて楕円および円を描く楕円描写器です。
【０００９】
【実施例】
図１に示される実施例では、軸棒５１に対して直角に取り付けた軸１１ｅに、回転することができる回転体１１ａ，１１ｂ，１１ｃ，１１ｄを構成する部分１１ａを接続し、この回転することができる回転体１１ａの円周の外周面に球１１ｄを配して１１ｂの回転を円滑に行えるようにし１１ｃの底面の内径の縁と１１ａの上部を合わせて付けることにより回転することができる回転体は軸棒５１の中心を中心として回転し、描写面に垂直な軸棒５１に対して棒４１を平行に保持するための工夫をする部分として、枠２１ａの外周面に軸２１ｂの方向に対して直角の方向に軸を設置し回転することができる回転体の１１ｂと接続し、この枠２１ａに軸２１ｂを回転することができる回転体の中心から回転面において放射する任意の直線上にあるように設置し、この任意の直線上に棒４１の中心を設置し、任意の角度を設定した回転することができる回転体の中心から回転面において放射された直線の任意の一点の位置を半径として楕円軌道を描くときに、枠２１ａの外周面に軸２１ｂの方向に対して直角の方向に取り付けた軸と軸２１ｂが棒４１を中心とした枠２１ａに交差して取り付けることで、回転することができる回転体が任意の角度を設定するときに、軸棒５１に対して棒４１の方向を同調させ、棒４１の中心点において回転することができる回転体の中心を通る半径としての任意の一点が円滑に移動できるように車輪を付けた移動部分３１ａと軸２１ａを取り付ける車輪固定部３１ｂを設置し、棒４１と接するようにすることにより、つまり、回転することができる回転体の中心から回転面において放射された任意の直線として棒４１の中心を通る直線上に、棒４１を中心として、棒４１に接する車輪を付けた移動部分３１ａと車輪固定部３１ｂの中心を通る車輪固定部の側面に枠２１ａとを接続するための軸２１ｂを取り付け、この軸２１ｂに対して直角の方向に回転することができる回転体と枠２１ａを接続するための軸を取り付け、任意の角度を設定した回転することができる回転体が回転するときに棒４１が軸棒５１と平行な状態を維持できるようにし、回転することができる回転体を回転させるときに回転することができる回転体に任意の角度を設定したために生じる半径の長短によって動く動作で楕円を描いても、軸棒５１と棒４１が平行を保てるように、軸２１の方向に対して直角の方向に取り付けた軸と軸２１の二つの軸の動作を互いに妨げないように交差させて、構成します。
【００１０】
図２に示される実施例では、回転することができる回転体１２ａ，１２ｂ，１２ｃ，１２ｄに任意の角度を設定して傾斜させたとき、回転することができる回転体と軸２２ｄで接続している枠２２ａは回転することができる回転体の中心部の軸棒５２を中心として回転することができる回転体の任意の角度に同調しながら回転し、車輪を付けた移動部分の車輪３２ａに接触している棒４２を垂直方向に保持する設定にするため、軸２２ｂの回転によって棒４２を垂直方向に保持したまま、枠２２ａが軸２２ｄによって回転することができるようにし、二つの軸２２ｂと２２ｄの動作を互いに妨げないように交差させることにより、棒４２は軸棒５２を中心として、任意の角度を設定した回転することができる回転体を回転させたときに軸棒５２と同じ方向をたもちながら軸棒５２の周りを一周して、軸棒５２の垂直方向である平面上と同方向に棒４２の垂直方向を保ち楕円軌道を投影するように構成しています。
【００１１】
図３に示されている実施例では、回転することができる楕円および円の軌道を描く回転体１３ａ，１３ｂ，１３ｄと外枠２３ａと内枠２３ｃを取り付けるために交差方向にある軸２３ｂと２３ｄによって棒４３が軸棒５３と平行する垂直な方向を保持するように構成されているため、軸棒５３の中心点を中心として、棒４３の中心点を通る直線は軸棒５３の中心点から棒４３の中心点までの半径となり、回転することができる楕円および円の軌道を描く回転体を回転させたとき、軸棒５３の中心点を中心として棒４３の中心点において、円の軌道を平面方向に描くことになります。
【００１２】
つまり、図３が平面図とすれば、軸棒５３は描写面に対して垂直であり、この回転することができる楕円および円の軌道を描く回転体は、描写面に対して平行な状態にあり、外枠２３ａと内枠２３ｃの中心にある棒４３の中心は回転することができる回転体の回転面の中心から放射する直線上の任意の一点となっているので、棒４３が描写面に対して垂直であるならば、この棒４３の描写面の中心に描写具を取り付けた場合、この回転することができる楕円および円を描く回転体が回転すると、棒４３の描写面の中心に取り付けた描写具は、円を描くことになります。
【００１３】
図４に示されている実施例では、図３と同じように図４を平面図とすると、軸１４ｅにおいて回転することができる回転体を回転させて任意の角度を設定し、棒４４を垂直に保つために回転することができる回転体の部品１４ｂと軸２４ｄを接続し、軸２４ｄと外枠２４ａとを接続し、外枠２４ａと軸２４ｂとを接続し、軸２４ｂと内枠２４ｃとを接続し、内枠２４ｃに取り付けてある車輪３４ａに接触している棒４４が軸棒５４と同じ垂直の方向を保持するように設定するときに外枠２４ａを軸２４ｄで接続した軸２４ｄと交差する方向において、内枠２４ｃを軸２４ｂで接続することにより、軸に取り付けた外枠２４ａと内枠２４ｃの相互の回転動作によって、車輪３４ａが棒４４を上下移動することを妨げずに、軸棒５４の中心を中心点として、回転することができる回転体を回転させて棒４４の中心で描写面に対してできる楕円の軌道を描写面上に投影するように、楕円の軌道を描写方向に対して垂直を保持する工夫をした部分によって棒４４は軸棒５４に平行を保持しながら軸棒５４に沿って移動できるように構成されているために、外枠２４ａと内枠２４ｃが棒４４に接触しない範囲で回転することで、軸棒５４の中心を中心点として回転することができる回転体を回転させると棒４４の中心点において楕円軌道を描くことができます。
【００１４】
つまり、回転することができる回転体の軸１４ｅを回転させて設定した任意の角度において、棒４４は、軸２４ｄによって接続する外枠２４ａと外枠２４ａと内枠２４ｃを接続する軸２４ｂによって、外枠２４ａと内枠２４ｃの回転を相互に連動し、棒４４に接触する車輪３４ａの移動によって、車輪３４ａの中心にある棒４４を描写面に対して垂直に保持する工夫をした部分で軸棒５４と同方向を確保し、平行を保持しようとすることができます。
【００１５】
図５に示されている実施例では、側面から見た軸棒５５が縦方向の楕円描写器の構成を示すもので、角度設定部９５で任意の角度を設定した回転することができる回転体１５を回転させたときに車輪３５ａに接する棒４５の中心点において描かれる軌道を平面方向である描写面に投影された楕円および円の軌道として描写するために、描写面に対して垂直な軸棒５５の描写面に接する軸棒５５の一点である中心点５５ａは軸棒の中心に位置し、もう一点の固定点５５ｂで中心軸である軸棒５５が回転しないように固定し、楕円描写器を回転させるときに軸棒５５が連動して、軸棒の方向を回転させないように、描写面との接点である中心点５５ａと固定点５５ｂを持つことで軸棒５５は任意の方向で固定され、軸受け６５ａに取り付けた描写面に対して垂直を保持する工夫をした部分が回転することができる回転体に同調し、この任意の方向で固定された軸棒５５を中心軸として楕円描写器は回転します。
【００１６】
この時、軸棒５５と平行を保って移動することができるコの字型の棒４５には回転することができる回転体の車輪３５ａが接触し、図には枠２５ａに隠れて表記されていませんが、回転することができる回転体の回転面上において軸２５ｂと直角に交差する方向で取り付けた軸が枠２５ａと四車輪を取り付けた四角の車輪を取り付ける立体である車輪固定部３５ｂの中心とを接続し、その車輪固定部の中心に回転することができる回転体の中心を通る直線上の任意の半径としての一点が四車輪の中心として、このコの字型の棒４５の中心点となることによって、楕円描写器を回転させて、描写具によって、任意の楕円および円の軌道と同等の楕円および円、そして半径の距離の長さを任意に設定した楕円および円を描くことができます。
【００１７】
図６に示されている実施例では、回転することができる回転体に任意の角度を設定し、描写具を取り付けて点線のように回転させたとき、楕円描写器は描写具によって楕円１００を描く実施例です。
【００１８】
図７に示されている実施例では、軸棒５７を描写面と平行な位置に設定し、回転することができる回転体１７の中心が垂直方向の描写面において楕円描写器の中心軸の中心点５７ａと重なるように設定して、固定点５７ｂによって任意の方向に固定された中心軸に取り付けた歯車から軸棒へ連動する状態で楕円描写器を回転させたときに歯車等によって、例えば、傘歯車１１７ｂにおいて傘歯車の中心に取り付けた楕円描写器の底面に接している軸は楕円描写器の中心軸の中心点５７ａからの任意の半径になり楕円描写器を回転させたときに固定点５７ｂによって任意の方向に固定されている中心点を中心とする中心軸を中心として楕円描写器が回転すると傘歯車１１７ｂの軸を半径として円を描くときに傘歯車を回転させ、この伝達された回転力が任意の角度を設定した回転することができる回転体１７と接続している軸棒５７を回転させることにより、任意の角度を設定した回転することができる回転体の回転面上の任意の一点が描写面と平行な回転することができる回転体の中心と同一平面上において水平移動するようにして、つまり任意の角度を設定した回転することができる回転体を側面図としての図４によって説明すれば、棒４４に接する車輪３４ａの棒４４における移動は軸棒５４の回転によって任意の角度を設定した回転することができる回転体の動きに連動する車輪３４ａの水平移動を軸棒５４と同一平面上に設定した棒４４によって動作が一定面に保たれるようにしてあるため、軸棒５４が回転して、任意の角度を設定した回転することができる回転体の回転面上の任意の一点を棒４４の中心として設定するので、軸棒５４と同一平面上で棒４４が水平移動をし、軸棒５４を回転させたとき、軸棒５４に対して直角方向に取り付けた軸１４ｅが連動して回転し、軸１４ｅに接続している回転することができる回転体の部品１４ａも回転することになりますが、回転することができる回転体の部品１４ｂの動きは棒４４が軸棒５４と同一平面上の設定のため軸棒５４を中心とする回転をせずに左右に傾きながら動き、任意の角度を設定した回転することができる回転体の部品１４ａが設定した角度に従って回転すると一定平面上を保持する棒４４の中心である半径に相当する任意の一点である四車輪３４ａの中心は接する棒４４において移動し、任意の角度を設定した回転することができる回転体の部品１４ａの回転において生じる半径としての任意の一点の軌道は描写面に投影したときの半径の長短の変化に従い、描写面に対して平行な軸棒５４と同一平面上の棒４４を半径の長短の長さに従って水平移動を行い、軸棒と同一平面上の水平移動が楕円描写器の中心点５７ａを中心とした回転と連動することによって描写具が楕円および円を描きます。
【００１９】
図８に示されている実施例では、図７の中心軸の中心点５７ａと中心軸の中心点５７ａ付近の固定点５７ｂによって任意の方向に設定された中心軸の状態において楕円描写器を回転させると、中心軸に取り付けた歯車１１７ａにつながっている傘歯車１１７ｂから外枠の側面に取り付けた歯車１１７ａへと軸棒５７までつながり、軸棒５７に取り付けた回転することができる回転体の部品が回転し、この軸棒５７に取り付けてある回転することができる回転体１７の動作を図３と図４において説明すると、軸棒を描写面に対して横方向に設定した楕円描写器として、図３の軸棒５３の回転は軸棒５３に取り付けた軸１３ｅによって回転することができる回転体の部品１３ｂに伝わり、図３のように軸１３ｅを軸棒５３に対して直角の角度を設定したときには軸１３ｅの回転は軸棒５３に対して直角であるため、棒４３の中心における半径の距離の移動は発生せずに楕円描写器の回転とともに描写具において円を描きますが、任意の角度を設定した回転することができる回転体の動作においては、図４のように、任意の角度を設定した回転することができる回転体を取り付けた軸棒５４が回転することによって、軸１４ｅが回転するとき、任意の角度を設定した回転することができる回転体は軸棒５４に対して任意の角度を設定してあるため、軸棒が回転するときに連動する軸１４ｅの回転によって回転することができる回転体の部品１４ａの回転によって回転体の部品１４ｂが軸棒５４の中心と軸４４の中心を通る直線を軸として左右に動き、図４に表記された軸１４ｅの方向に対して直角になる位置に軸１４ｅが回転したときに、棒４４の中心において楕円における最小の半径の距離をとることになり、図８の棒４８においては、軸棒５８の回転によって、回転することができる回転体に取り付けた枠２８ａや四車輪３８ａの中心に設定した任意の一点の軌道が回転することができる回転体の中心を通る直線上にある半径の距離としての一点の運動が、軸棒５８と同一平面上に設置された棒４８に四車輪３８ａが接触していることによって、描く楕円の半径に相当する距離としての四車輪３８ａの中心が棒４８を左右に移動し、このとき、この面に平行な楕円描写器の中心軸の中心点を通る直線上の任意の一点にある描写具８８の中心点は車輪４８ａによって円滑な動作をし、描写具８８において、回転することができる回転体の動作と連動して、楕円描写器の中心点から描写具の中心点を通る直線上で半径の距離の長短を生じさせ、楕円描写器を回転させて、楕円を描きます。
【００２０】
つまり、楕円描写器が一回転するときに、軸棒も連動して一回転することによって回転することができる回転体の部品たとえば図４の１４ａが一回転し、描写面において、描写具によって楕円を描きます。
【００２１】
図９に示されている実施例では、描写具８９の描写面における設定位置を楕円描写器の中心軸の中心点から伸びる直線上の任意の一点の位置になるように描写具８９を設定し、移動板４９ｄに取り付けた描写具の中心が、この直線上を移動することができるように移動板４９ｄが描写具８９を描写方向に対して垂直に保持する工夫をした部分の平行板４９ｃで挟み込み、任意の半径の距離を設定後、止め具４９ｅによって設定位置を固定して、車輪４９ａによる円滑な平行移動によって、楕円描写器を回転させて描写具によって楕円および円を描くことができます。
【００２２】
図１０に示されている実施例では、描写具８１０を取り付ける位置を楕円描写器が回転する中心軸の中心点から放射する直線上の任意の一点において描かれる楕円および円の軌道を描写具で描くために、描写具を描写方向に垂直を保持する工夫をした部分の平行板４１０ｃに車輪４１０ａを取り付け、平行移動を円滑にするために、描写具を描写方向に対して円滑に保持する工夫をした部分の固定部６１０の側壁に車輪４１０ｃが平行移動をすることができるような溝を作ることによって容易にし、楕円および円の軌道を描写するために、楕円描写器が回転するための中心点から放射する放射上の任意の一点が中心点から放射する放射上の任意の一点が中心点から放射する直線上を移動するように移動板４１０ｄを移動させ、描写具８９によって任意の角度を設定した楕円および円を描くことができます。
【００２３】
そのために、移動板４１０ｄに取り付けた描写具８１０の中心点において、楕円描写器の中心から放射した直線上を移動することができるようにし、図９のような固定具４９ｅで描写具を任意の位置に設定して固定できるようにすることによって、任意の角度を設定した楕円および円の大きさを変化させることができます。
【００２４】
図１１に示されている実施例では、平面化した楕円および円の軌道を描くために、描写方向に垂直を保持する工夫をした部分４１１ｃが平面上を円滑に平行移動できるように、車輪を垂直方向４１１ａと水平方向４１１ｂに設定することによって楕円描写器を回転させたときに回転することができる回転体の動きに連動して、図１０の棒４１０に接する四車輪３１０ａが左右に動きながら楕円および円の軌道を描写方向に垂直を保持する工夫をした部分の描写具８１０の中心が楕円描写具の中心から放射する直線上を移動するように、図１０の場合は車輪４１０ａ、図１１の場合は車輪４１１ａと４１１ｂを取り付けて円滑に任意の一点の移動、つまり、描写面においては描写具の移動に対応するようにします。
【００２５】
図１２に示されている実施例では、車輪によって楕円および円の軌道を描写方向に垂直を保持する工夫をした部分の平行板４１２ｃで挟まれた移動板４１２ｄに設置してある描写具８１２の中心を楕円描写器の回転軸の中心から放射する直線上の任意の一点とし、その楕円描写器の中心軸から放射する任意の直線上を移動するように、４１２ｃに接する４１２ｄが移動できるように設定します。
【００２６】
したがって、図１３で示されている実施例では、４１３ｃに両側から挟まれた移動板４１３ｄの中心にある描写具８１３の描写面上の中心は、楕円描写器の中心軸から放射する任意の一点とし、その直線上を移動するように車輪４１３ａと４１３ｂによって円滑な平行移動を行えるように設定し、楕円描写器を回転させて描写具によって描写面に楕円および円を描きます。
【００２７】
つまり、図１０の楕円描写器を回転させると、歯車等の伝動部品によって連動して任意の角度を設定した回転することができる回転体の中心の軸棒５１０を回転させることにより任意の角度を設定した回転することができる回転体の中心から放射する直線上の任意の一点において設定された角度による楕円軌道に従い、棒４１０において変化する中心からの平面化した半径の距離を描写方向に対して垂直に保持する工夫をした部分の車輪４１０ａの回転によって移動し、楕円描写器の回転と連動して描写具８１３によって描写面に楕円および円を描きます。
【００２８】
図１４に示されている実施例では、請求項１の楕円描写器を具現化したもので、描写面に対して垂直な軸棒５１４の中心に描写面における中心点５１４ａを有し、その軸棒の中心点５１４ａ以外に軸棒の中心点付近に一つの固定点５１４ｂを持たせることによって軸棒５１４の方向を固定し、軸棒の任意の位置において軸棒に対して直角に取り付けた軸１１４ｅに回転することができる回転体１１４を取り付け、回転することができる回転体１１４に任意の角度が設定できるようにし、楕円描写器を回転させることによって回転することができる回転体１１４を回転させて、回転することができる回転体１１４の中心から放射する回転面の放射上任意の一点において描写面に対してできる楕円および円の軌道を描写面上に描写するために楕円および円の軌道を描写方向に対して垂直に保持する工夫をして描写面上に投影した楕円および円の軌道を描写具８１４によって描写面において楕円および円として描き、その楕円および円の半径を移動板４１４ｄによって移動させ、任意の大きさの楕円および円を描くために軸棒の中心点とその付近に一点以上の固定点を設定する以外に描写具が描写面に対して垂直を保つための平行部として回転することができる球７１４を有して、描写具を描写方向に対して垂直に保持する工夫をした部分の移動部４１４ｄを描写面に対して平行を維持して回転させて、筆圧を加えて楕円および円を描く楕円描写器です。
【００２９】
図１５に示されている実施例では、描写面に対して垂直な中心軸の描写面に接する中心に描写面における中心点５１５ａを有する楕円描写器が回転するときに、移動することができる任意の一点に描写具８１５を取り付けて描かれる楕円および円の半径の大きさを変化させるために、中心軸の中心点５１５ａから一直線上に伸びた線上を任意の一点が移動できるように、描写具８１５を取り付けた移動板４１５ｄの描写具８１５の中心において中心軸の中心点５１５ａから任意にある描写具８１５の中心を通って伸びる直線上を移動するようにするために描写具の中心としての任意の一点の移動板４１５ｄ上の描写具８１５の中心において描写具を描写方向に対して垂直を保持する工夫をした部分の平行板４１５ｃで両側から移動板４１５ｄを挟んで移動することができるようにすることにより半径としての描写具の中心点を移動し、移動板４１５ｄで半径の長さの単位を設定して、その任意の半径を固定具４１５ｅで固定していろいろな楕円および円を描きます。
【００３０】
図１６に示されている実施例では、軸の中心点５１６ａと固定点５１６ｂ以外に描写面に対して描写具８１６が垂直を保つために回転することができる球７１６を有して楕円描写器を回転させ、バネ８１６ａの弾力で筆圧を加えて楕円および円を描くときに、中心点５１６ａと方向を固定する固定点５１６ｂと回転することができる球７１６によって、描写具を描写方向に対して垂直に保持する工夫をした部分６１６の底面が描写面に対して平行になるように設定することで描写具８１６を描写面に対して垂直を保持できるようにします。
【００３１】
図１７に示されている実施例では、回転することができる回転体の部品１１１７ａと回転することができる回転体の部品１１１７ｂの接触によっても回転することができる回転体の部品１１１７ｂが円滑に回転する場合には、図３にある球１３ｄを取り外した構造にします。
【００３２】
【発明の効果】
本発明は、以上説明したように構成されているので、以下に記載されるような効果を奏します。
【００３３】
楕円描写器を回転させるとき、回転することができる回転体を取り付けた軸棒が立ての場合には回転することができる回転体の回転面を描写面と平行にし、軸棒が横の場合には回転することができる回転体の回転面を垂直に設定し、半径を設定することによって円を描き、回転することができる回転体に任意の角度を設定し、半径を設定することによって、楕円を描き、楕円描写器の中心点と楕円においては半径の方向の設定によって楕円および円を任意の位置に描くことができます。
【図面の簡単な説明】
【図１】回転することができる回転体の分解、側面、断面図です。
【図２】任意の角度を設定した回転することができる回転体の分解、側面図です。
【図３】回転することができる回転体の平面図です。
【図４】任意の角度を設定した回転することができる回転体の平面図です。
【図５】回転することができる回転体を取り付けた軸棒を描写面に対して垂直方向に設定した楕円描写器の側面図です。
【図６】回転することができる回転体を取り付けた軸棒を描写面に対して垂直方向に設定した楕円描写器の平面図です。
【図７】回転することができる回転体を取り付けた軸棒を描写面に対して平行方向に設定した楕円描写器の正面図です。
【図８】回転することができる回転体を取り付けた軸棒を描写面に対して並行方向に設定した楕円描写器の部分断面、平面図です。
【図９】楕円および円の軌道を描く描写具を描写方向に対して垂直に保持する工夫をした部分の正面、断面図です。
【図１０】回転することができる回転体を取り付けた軸棒を描写面に対して平行方向に設定し、描写面に対してできる平面化した半径の距離に相当する楕円および円の軌道を描写面上に描写するために描写具を描写方向に対して垂直に保持する工夫をした楕円描写器の部分断面、平面図です。
【図１１】平面化した楕円および円の軌道が円滑に移動できるように、車輪を取り付けた部分の側面、断面図です。
【図１２】車輪を取り付けた平行板と移動板の平面図です。
【図１３】描写具を描写方向に対して垂直に保持する工夫をした部分の部分断面、正面図です。
【図１４】回転することができる回転体を取り付けた軸棒を描写面に対して垂直方向に設定した楕円描写器の立面図です。
【図１５】回転することができる回転体を取り付けた軸棒を描写面に対して平行方向に設定した楕円描写器の底面図です。
【図１６】描写具を描写面に対して垂直を保持し、筆圧を加え楕円および円を描く部分の断面、側面図です。
【図１７】回転することができる回転体の球の部品をなくした軸棒を描写面に対して平行にしたときの側面図、または軸棒を描写面に対して垂直にしたときの平面図です。
【符号の説明】
１１  （１１ａ，１１ｂ，１１ｃ，１１ｄ）  回転することができる回転体
１１ａ，１１ｂ，１１ｃ，１１ｄ  回転することができる回転体
１１ｄ  球
１１ｅ  軸、軸棒に対して直角に取り付けた軸
１２  回転することができる回転体
１２ａ，１２ｂ，１２ｃ１２ｄ  回転することができる回転体の部品
１２ｄ  球
１３ａ，１３ｂ，１３ｄ  回転することができる回転体の部品
１３ｄ  球
１３ｅ  軸
１４ａ，１４ｂ，１４ｄ  回転することができる回転体の部品
１４ｄ  球
１４ｅ  軸
１５  回転することができる回転体
１６  回転することができる回転体
１７  回転することができる回転体
１８  回転することができる回転体
２１ａ  枠
２１ｂ  軸
２２ａ  枠
２２ｂ  軸
２２ｄ  軸
２３ａ  外枠
２３ｂ  軸
２３ｃ  内枠
２３ｄ  軸
２４ａ  外枠
２４ｂ  軸
２４ｃ  内枠
２４ｄ  軸
２５ａ  枠
２５ｂ  軸
２７ａ  枠
２８ａ  枠
３１ａ  車輪
３１ｂ  車輪固定部
３２ａ  車輪
３２ｂ  車輪固定部
３３ａ  車輪
３４ａ  車輪
３５ａ  車輪
３５ｂ  車輪固定部
３７ａ  車輪
３８ａ  車輪
４１  棒
４２  棒
４３  棒
４４  棒
４５  楕円および円の軌道を描写方向に対して垂直に保持する工夫をした部分
４５ａ  車輪
４８  棒
４８ａ  車輪
４８ｃ  平行板、描写具取り付け部
４９ａ  車輪
４９ｃ  平行板
４９ｄ  移動板
４９ｅ  移動板固定具
５１  軸棒
５２  軸棒
５３  軸棒
５４  軸棒
５５  軸棒
５５ａ  中心点
５５ｂ  固定点
５７  軸棒
５７ａ  中心点
５７ｂ  固定点
５８  軸棒
６５  描写方向に対して垂直に保持する工夫をした部分
６５ａ  軸受け
６６  描写方向に対して垂直に保持する工夫をした部分
６７  描写方向に対して垂直に保持する工夫をした部分
６８  描写方向に対して垂直に保持する工夫をした部分
６９  描写方向に対して垂直に保持する工夫をした部分
７５  回転することができる球
７６  回転することができる球
７７  回転することができる球
７８  回転することができる球
８５  描写具
８５ａ  ばね
８５ｂ  描写具保持部
８８  描写具
８９  描写具
９５  角度設定部
１００  描写された楕円
１１０  回転することができる回転体
１１４  回転することができる回転体
１１７ａ  歯車
１１７ｂ  ４５度の角度の歯車、傘歯車
１１８ａ  歯車
１１８ｂ  ４５度の角度の歯車、傘歯車
２１４ａ  外枠
３１０ａ  車輪
４１０  棒
４１０ａ  車輪
４１０ｃ  平行板
４１０ｄ  移動板
４１１ａ  車輪
４１１ｂ  車輪
４１１ｃ  平行板
４１２ａ  車輪
４１２ｂ  車輪
４１２ｃ  平行板
４１２ｄ  移動板
４１３ａ  車輪
４１３ｂ  車輪
４１３ｃ  平行板
４１３ｄ  移動板
４１３ｅ  移動板固定具
４１４  棒
４１４ａ  車輪
４１４ｃ  平行板
４１４ｄ  移動板
４１５ｃ  平行板
４１５ｄ  移動板
４１５ｅ  移動板固定具
５１０  軸棒
５１４  軸棒
５１４ａ  中心点
５１４ｂ  固定点
５１５ａ  中心点
５１５ｂ  固定点
５１６ａ  中心点
５１６ｂ  固定点
６１０  描写方向に対して垂直に保持する工夫をした部分
６１４  描写方向に対して垂直に保持する工夫をした部分
６１４ａ  軸受け
６１５  描写方向に対して垂直に保持する工夫をした部分
６１６  描写方向に対して垂直に保持する工夫をした部分
７１０  回転することができる球
７１４  回転することができる球
７１５  回転することができる球
７１６  回転することができる球
８１０  描写具
８１２  描写具
８１３  描写具
８１４  描写具
８１５  描写具
８１６  描写具
８１６ａ  ばね
８１６ｂ  描写方向に対して垂直に保持する工夫をした部分
８１６ｅ  描写固定具
１１１０ａ  歯車
１１１０ｂ  ４５度の歯車、傘歯車
１１１６ａ  歯車
１１１７ａ  回転することができる回転体の部品
１１１７ｂ  回転することができる回転体の部品
１１１７ｅ  軸、軸棒の任意の位置において軸棒に対して直角に取り付けた軸
２１１７ａ  外枠
２１１７ｂ  軸
２１１７ｃ  内枠
２１１７ｄ  軸
３１１７ａ  車輪
４１１７  棒
５１１７  軸
【図１】
2004155042.tif 000003
【図２】
2004155042.tif 000004
【図３】
2004155042.tif 000005
【図４】
2004155042.tif 000006
【図５】
2004155042.tif 000007
【図６】
2004155042.tif 000008
【図７】
2004155042.tif 000009
【図８】
2004155042.tif 000010
【図９】
2004155042.tif 000011
【図１０】
2004155042.tif 000012
【図１１】
2004155042.tif 000013
【図１２】
2004155042.tif 000014
【図１３】
2004155042.tif 000015
【図１４】
2004155042.tif 000016
【図１５】
2004155042.tif 000017
【図１６】
2004155042.tif 000018
【図１７】
2004155042.tif 000019